(57)【要約】      （修正有）【課題】製造工程が少なく、生産コストが低いという特色を有する一次元接触点位置検出の静電容量式タッチスクリーン／タッチパネルを提供する。【解決手段】基材１０、金属層２０、タッチ制御ＩＣ３０が備わり、該基材の上には、単層のＩＴＯ回路６０が設けられ、ＩＴＯ回路の各ＩＴＯ配線は、設定静電容量値が設けられ、相互に交差するように配置されているが、電気的に接続されない図形に設けられている。【選択図】図１
0003162771.tif 000002
【実用新案登録請求の範囲】
【請求項１】
基材、金属層、タッチ制御ＩＣが備わり、該基材の上には、単層のＩＴＯ回路が設けられ、ＩＴＯ回路の各ＩＴＯ配線は、設定静電容量値が設けられ、相互に交差するように配置されているが、電気的に接続されない図形に設けられていることを特徴とする一次元接触点位置検出の静電容量式タッチスクリーン／タッチパネル。
【請求項２】
該ＩＴＯ配線で形成されている図形は、Ｗ形、長方形、または三角形、または三角形であるが、その中の一つのアングルがカーブになった不規則図形、または梯形に設けられていることを特徴とする請求項１に記載の一次元接触点位置検出の静電容量式タッチスクリーン／タッチパネル。
【請求項３】
該基材は、ガラスまたはフィルムであることを特徴とする請求項２に記載の一次元接触点位置検出の静電容量式タッチスクリーン／タッチパネル。
【考案の詳細な説明】
【技術分野】
【０００１】
本考案は、静電容量式タッチスクリーン／タッチパネルに関わり、特に、静電容量式タッチスクリーン／タッチパネルの接触点位置検出の技術分野に関する。
【背景技術】
【０００２】
静電容量式タッチスクリーン／タッチパネルは、人体に電流が流れていることを理由して稼動されることになっており、従来の静電容量式タッチスクリーン／タッチパネルは、基材にＸ／Ｙ軸の上下二層ＩＴＯ（透明導電材料）回路が設けられ、原理として、上下二層ＸＹ軸にある接触点の静電容量の変化値を測定し、タッチ制御ＩＣに処理されたあと、指の触ったＸＹ軸方向にあるぞれぞれの位置が確定されたうえ、タッチスクリーン／タッチパネルにある指の接触点に当たる点座標が求められることになる。
【０００３】
従来の静電容量式タッチスクリーン／タッチパネルでは、Ｘ／Ｙ軸の上下二層ＩＴＯ（透明導電材料）回路を設ける必要があり、製造工程が多く、生産コストが高く、大量に応用されている電気抵抗式タッチスクリーン／タッチパネルより値段が高いことで、静電容量式タッチスクリーン／タッチパネルの応用を大きく広げるのに不利である。
【考案の開示】
【考案が解決しようとする課題】
【０００４】
本考案は、従来の既存技術の不十分なところについて、製造工程が少なく、生産コストが低いという特色を有する一次元接触点位置検出の静電容量式タッチスクリーン／タッチパネルを提供することを目的とする。
【課題を解決するための手段】
【０００５】
上述の目的を達成させるため、本考案は、基材、金属層、タッチ制御ＩＣが備わり、該基材の上には、単層のＩＴＯ回路が設けられ、ＩＴＯ回路の各ＩＴＯ配線は、設定静電容量値が設けられ、相互に交差するように配置されているが、電気的に接続されない図形に設けられていることを特徴とする一次元接触点位置検出の静電容量式タッチスクリーン／タッチパネルを提供する。
【０００６】
該ＩＴＯ配線で形成されている図形は、Ｗ形、長方形、または三角形、または三角形であるが、その中の一つのアングルがカーブになった不規則図形、または梯形に設けられていることを特徴とする。
【０００７】
該基材は、ガラスまたはフィルムであることを特徴とする。
【考案の効果】
【０００８】
本考案は、静電容量式タッチスクリーン／タッチパネルを、従来の二層ＩＴＯ回路による位置検出構造を単層ＩＴＯ回路による位置検出構造にしたことで、製造材料が大幅に削減可能、製造工程が簡単化するようになり、静電容量式タッチスクリーン／タッチパネルの生産コストが大きく削減でき、静電容量式タッチスクリーン／タッチパネルの応用を大きく広げるのに有利な効果がある。
【図面の簡単な説明】
【０００９】
【図１】本考案の静電容量式タッチスクリーンの分解イメージ。
【図２】本考案の静電容量式タッチスクリーンのＩＴＯ回路イメージ一。
【図３】本考案の静電容量式タッチスクリーンのＩＴＯ回路イメージ二。
【図４】本考案の静電容量式タッチスクリーンのＩＴＯ回路イメージ三。
【考案を実施するための形態】
【００１０】
以下は、図面を参考しながら、本考案について更に説明する。
以下の内容は、本考案の好適な実施例のみについて説明するものであり、それを以って、本考案の特許請求範囲を制限してはならないとする。
本考案は、基材の上には単層のＩＴＯ回路が設けられ、ＩＴＯ回路の各ＩＴＯ配線は、設定静電容量値が設けられ、相互に交差するように配置されているが、電気的に接続されない図形に設けられている一次元接触点位置検出の静電容量式タッチスクリーン／タッチパネルであり、そこに指で触ると、タッチ制御ＩＣは、指の触った複数のＩＴＯ配線の総静電容量値が変わったかを測定することになるが、まず、Ｙ軸方向の接触点位置を確かめたあと、指でタッチしたときに、各配線の静電容量値がＩＴＯ配線の総静電容量値に占めている割合を見て、Ｘ軸方向の接触点位置を確かめる。
【００１１】
図１に示すのは、一次元接触点位置検出の静電容量式タッチスクリーンであり、該タッチスクリーンは、基材１０、金属層２０、タッチ制御ＩＣ３０及び光学透明ゴム（ＯＣＡ）４０、ガラススクリーン５０が備わっており、基材１０はガラス（ＧＬＡＳＳ）またはフィルム（ＦＩＬＭ）であり、その上には、単層のＩＴＯ回路６０が設けられ、ＩＴＯ回路６０の各ＩＴＯ配線は、設定静電容量値が設けられ、相互に交差するように設けられているが、電気的に接続されない図形に設けられている。
【００１２】
図２は、各ＩＴＯ配線で相互が交差しているが、電気的に接続されない複数のＷ図形（Ａ１〜Ａ４とＢ１〜Ｂ４）、図３は、ＩＴＯ配線で形成されている複数の長方図形（Ａ１〜Ａ４とＢ１〜Ｂ４）、図４は、ＩＴＯ配線で形成されている複数の三角図形（Ａ１〜Ａ４とＢ１〜Ｂ４、Ｃ１〜Ｃ４、Ｄ１〜Ｄ４）を示している。
【００１３】
指の触ったＩＴＯ回路は一般的に、三本から六本の配線間になるが、これからは、指の接触点のセンターラインによる二本のＩＴＯ配線で、接触点の重心位置を確かめるための作業原理を説明する。
【００１４】
指で触ったとき、まず、Ｙ軸方向の接触点位置を確かめるが、当該位置は、タッチ制御ＩＣが二本のＩＴＯ配線にある静電容量値が変わったかから確かめることになるが、Ｙ軸方向の位置を確かめたあと、該二本ＩＴＯ配線から、Ｘ軸方向での接触位置を確かめるが、仮に、指で触ったとき、二本のＩＴＯ配線の生じられた総静電容量値がＣＡ＋Ｂになる場合、当該二本の配線がどんな位置にあっても、該静電容量値ＣＡ＋Ｂは固定値であり、Ｘ軸方向の二本ＩＴＯ配線における指の触ったところにより、二本ＩＴＯ配線上の静電容量値ＣＡ、ＣＢが変わることになるが、そこで、タッチ制御ＩＣ３０は、二本ＩＴＯ配線の静電容量値が総静電容量値ＣＡ＋Ｂに占めている割合から、手の触ったＸ軸方向の接触点の重心位置を確かめるが、そうすると、確かめられたＸＹ軸方向の接触点から、接触点のＸＹ座標が求められる。
【００１５】
説明を付け加えておくことは、本考案の原理は、すべてに静電容量式タッチ位置検出に適用できること。
【符号の説明】
【００１６】
１０    基材
２０    金属層
３０    タッチ制御ＩＣ
４０    光学透明ゴム（ＯＣＡ）
５０    ガラススクリーン
６０    単層のＩＴＯ回路
【図１】
0003162771.tif 000003
【図２】
0003162771.tif 000004
【図３】
0003162771.tif 000005
【図４】
0003162771.tif 000006